(57)【特許請求の範囲】
【請求項１】
多数の細孔を有する袋体の内部に木炭の破砕物が充填され、一定太さの細長い棒状に形成された樹勢増進材が内部に収納される円筒形の打込み部と、この打込み部の後端部に結合され、この打込み部を長手方向に振動させる振動発生装置とを備えたことを特徴とする樹勢増進材埋設装置。
【請求項２】
前部が錐体に形成され、後部において前記打込み部の先端開口部に着脱可能に嵌合する先端矢尻部を備えたことを特徴とする請求項１記載の樹勢増進材埋設装置。
【請求項３】
請求項１記載の樹勢増進材埋設装置の前記打込み部の内部に前記樹勢増進材を挿入し、前記打込み部を樹木の周囲の地面に突き立てるとともに、振動発生装置を動作させて前記打込み部を土中に打ち込み、その後、前記樹勢増進材を残して前記打込み部を土中から抜き取ることにより、土中に樹勢増進材を埋設することを特徴とする樹勢増進材埋設方法。
【請求項４】
請求項２記載の樹勢増進材埋設装置の前記打込み部の内部に前記樹勢増進材を挿入するとともに、前記打込み部の先端開口部に先端矢尻部を取り付け、この先端矢尻部を樹木の周囲の地面に突き立てるとともに、振動発生装置を動作させて前記打込み部を土中に打ち込み、その後、前記樹勢増進材及び先端矢尻部を残して前記打込み部を土中から抜き取ることにより、土中に樹勢増進材を埋設することを特徴とする樹勢増進材埋設方法。
【発明の詳細な説明】
【０００１】
【発明の属する技術分野】
本発明は、樹木の周囲に埋設することによって樹木の周囲の土の通気性及び保水性を向上させ、樹木の生育を増進させるための樹勢増進材を土中に埋設するための樹勢増進材埋設装置及び樹勢増進材埋設方法に関する。
【０００２】
【従来の技術】
一般に、庭木などの樹木の生育を増進させるためには、適切な時期及び量で樹木に水を供給することや、その樹木の必要とする養分の供給又は土壌の酸度の矯正のために樹木の周囲の土壌に肥料を施すことにより土壌の化学的条件を改良するなどの方法が有効であることが知られている。
【０００３】
【発明が解決しようとする課題】
しかしながら、樹木の生育条件をより最適なものとするためには、上記のような適切な水の供給及び土壌の化学的条件の改良のみでは足りず、通気性や保水性などの土壌の物理的条件をも適切な状態にすることが必要であると考えられている。そして、従来は、これらの土壌の物理的条件を改良するためには、客土や灌漑などの大掛かりな方法を行なうことが必要であった。
【０００４】
本発明は、上記課題に鑑みてなされたものであり、簡易な方法によって通気性や保水性などの土壌の物理的条件を改良し、樹木の生育を増進させることを技術課題とするものである。
【０００５】
【課題を解決するための手段】
上記技術課題を解決するための具体的手段は、次のようなものである。すなわち、請求項１に記載する樹勢増進材埋設装置は、多数の細孔を有する袋体の内部に木炭の破砕物が充填され、一定太さの細長い棒状に形成された樹勢増進材が内部に収納される円筒形の打込み部と、この打込み部の後端部に結合され、この打込み部を長手方向に振動させる振動発生装置とを備えたことを特徴とするものである。
【０００７】
請求項２に記載する樹勢増進材埋設装置は、請求項１に記載する構成において、前部が錐体に形成され、後部において前記打込み部の先端開口部に着脱可能に嵌合する先端矢尻部を備えたことを特徴とするものである。
【０００８】
請求項３に記載する樹勢増進材埋設方法は、請求項１記載の樹勢増進材埋設装置の前記打込み部の内部に前記樹勢増進材を挿入し、前記打込み部を樹木の周囲の地面に突き立てるとともに、振動発生装置を動作させて前記打込み部を土中に打ち込み、その後、前記樹勢増進材を残して前記打込み部を土中から抜き取ることにより、土中に樹勢増進材を埋設することを特徴とするものである。
【０００９】
請求項４に記載する樹勢増進材埋設方法は、請求項２記載の樹勢増進材埋設装置の前記打込み部の内部に前記樹勢増進材を挿入するとともに、前記打込み部の先端開口部に先端矢尻部を取り付け、この先端矢尻部を樹木の周囲の地面に突き立てるとともに、振動発生装置を動作させて前記打込み部を土中に打ち込み、その後、前記樹勢増進材及び先端矢尻部を残して前記打込み部を土中から抜き取ることにより、土中に樹勢増進材を埋設することを特徴とするものである。
【００１０】
【発明の実施の形態】
以下、本発明に係る樹勢増進材、樹勢増進材埋設装置及び樹勢増進材埋設方法について図面に基づいて説明する。本発明の実施形態に係る樹勢増進材１は、図１に示すように、多数の細孔を有する袋体２の内部に木炭の破砕物３が充填され、一定太さの細長い棒状に形成されたものである。
【００１１】
前記袋体２は、例えば、天然繊維、合成繊維、ガラス繊維等により多数の細孔が形成されるように製造した網体、和紙、織物、編物、不織布、あるいは多数の細孔を有するプラスチックシート等を、袋状であって、木炭の破砕物３が充填された状態で一定太さの細長い棒状となるように形成したものである。ここで、袋体２の細孔の大きさや形状は特に限定されるものではなく、木炭の破砕物３の大きさ等に応じて適宜のものを使用すればよい。袋体２としては、不織布を用いると好適である。不織布は、縮みにくく、耐水・耐溶剤性に優れているので樹勢増進材１の耐久性等を良好なものとすることができるとともに、目が細かいので木炭の破砕物３として小径又は粉末状のものが存在している場合であっても、それらが外部に散逸することを防止することができるという利点がある。また、袋体２として多数の通気孔を有するプラスチックシートを使用する場合には、ペットボトル等から再生したプラスチックシートを使用することができる。
【００１２】
前記木炭の破砕物３は、木炭を所定サイズの粒状又はチップ状に破砕したものである。この木炭の破砕物３が袋体２の内部に充填されることにより、木炭の破砕物３同士の隙間及び木炭の破砕物３自体が有する微細な孔によって袋体２の内部には多数の小さな空間が形成されることとなる。そして、このような内部の小さな空間を空気が通過し、又はこの小さな空間に水分が蓄えられることによって樹勢増進材１の通気性及び保水性が確保される。ここで、木炭の破砕物３の原料として、木造住宅の解体により発生する解体木材のうちの、薬剤及び接着剤を含有していない無処理解体木材を炭化させた木炭を利用することができる。これは、建築解体廃棄物の量の削減と資源の有効利用を図ることを目的とし、木造住宅を解体した際に発生した解体木材の中から、薬剤及び接着剤を含有していない無処理解体木材のみを選別し、炭化させて住宅関連資材として再利用するものである。これにより、木炭の破砕物３についての原料コストを低減化できるという利点がある。また、無処理解体木材は薬剤や接着剤を含有していないので、この無処理解体木材から木炭を製造しても大気汚染の原因にならないという利点もある。
【００１３】
樹勢増進材１の形状は、木炭の破砕物３が充填された状態の袋体２の形状であり、一定太さの細長い棒状であって、本実施形態においては、円柱形状に形成されている。その大きさについては、後述する樹勢増進材埋設装置４により土中１８に打込むことが可能な太さ及び長さであって、なおかつ、土中１８に埋設された際に樹木５の根の先端部６の近傍まで到達して根の周囲の通気性及び保水性を確保するために好適な太さ及び長さを有するものとする（図６参照）。具体的には、直径が２〜４ｃｍ程度、長さが２０〜４０ｃｍ程度とすると好適である。ただし、樹勢増進材１の大きさはこれに限定されるものではなく、対象とする樹木５の大きさや根の深さ、あるいは土壌の性質等によって適宜最適な大きさのものを使用すると好適である。
【００１４】
本発明の実施形態に係る樹勢増進材埋設装置４は、図２に示すように、樹勢増進材１が内部に収納される円筒形の打込み部７と、この打込み部７の後端部８に結合され、この打込み部７を長手方向に振動させる振動発生装置９とを備えたものである。
【００１５】
前記打込み部７は、土中１８に打込むために十分な強度を有する円筒形の部材であって、例えばステンレス鋼管や炭素鋼鋼管等により形成される。そして、打込み部７は、その先端が開口して先端開口部１０とされている。打込み部７の大きさは、その内部に樹勢増進材１を収納することができるようにするため、その内径が樹勢増進材１の直径よりも大きく、且つ、その内部の長さが樹勢増進材１の長さよりも長いものとなるように形成する。この際、打込み部７の内周面１１とそこに収容された樹勢増進材１との間にある程度の隙間が形成されるようにすると好適である。このようにすることにより、打込み部７の内部に樹勢増進材１を容易に挿入することができ、なおかつ、打込み部７を土中１８に打ち込んだ後、樹勢増進材１を土中１８に残して打込み部７のみを容易に抜き取ることが可能となる。
【００１６】
前記振動発生装置９は、打込み部７の後端部８に結合され、打込み部７を長手方向に振動させる装置である。具体的には、電気や圧縮空気等により動作するコンクリートの破砕用の一般的なブレーカーを使用することができる。また、これ以外の装置であっても、打込み部７を長手方向に適切に振動させることができる装置であれば使用することが可能である。そして、打込み部７を地面１２に突き立てた状態で、この振動発生装置９を動作させることにより、打込み部７を長手方向に振動させて土中１８に打ち込むことができる（図５参照）。振動発生装置９と打込み部７との結合は、溶接や螺合等により行なう。
【００１７】
また、本実施形態においては、打込み部７の先端開口部１０に先端矢尻部１３を備えている。この先端矢尻部１３は、図３にも示すように、前部１４が錐体に形成され、後部１５において打込み部７の先端開口部１０に着脱可能に嵌合するものである。先端矢尻部１３の材質としては、樹脂、金属、木等の各種の素材を用いることができる。ただし、土中１８に長期間放置された場合であっても、土壌を汚染したり、樹木５に悪影響を与えたりしない素材であることが必要である。そして、ここでは、先端矢尻部１３の前部１４は、先端が尖った円錐形状に形成されている。この際、先端矢尻部１３の前部１４の後端の最大径部１６の直径を打込み部７の先端開口部１０の外径よりも大きくすると更に好適である。このようにすることにより、打込み部７を土中１８に打込んだ後、抜き取る際に打込み部７の外周よりも突出した前記最大径部１６が土の抵抗を受け易く先端矢尻部１３が打込み部７から好適に外れることとなる。
【００１８】
また、先端矢尻部１３の後部１５は、打込み部７の先端開口部１０の内径と同一の外径を有する短尺円柱形状に形成されており、この部分を打込み部７の先端開口部１０に挿入することにより嵌合させることができるようになっている。ただし、先端矢尻部１３の後部１５の形状はこれに限定されるものではなく、例えば、図４に示すように、先端矢尻部１３の後部１５の端面に、打込み部７の先端開口部１０に合致する形状の円形溝１７を形成し、この円形溝１７に打込み部７の先端開口部１０を嵌入させて嵌合するものとすることも可能である。そして、これらのような先端矢尻部１３を備えることにより、打込み部７を土中１８に打込む際に抵抗が少なくなり容易に打込むことができるとともに、先端開口部１０から打込み部７の内部に土が侵入することを防止することができる。また、打込み部７を土中１８に打込む際に、先端矢尻部１３の尖った先端により樹木の根を避けて進行することとなるので、樹木の根を切断することを防止することができる。なお、樹勢増進材埋設装置４は、このような先端矢尻部１３を備えない場合もある。その場合には、打込み部７の先端開口部１０から土が侵入することを防止するために、打込み部７の内周面１１とそこに収容された樹勢増進材１との間の隙間を最小限に留めると好適である。
【００１９】
本発明の実施形態に係る樹勢増進材埋設方法は、以下のようにして行なう。すなわち、まず、図２に示すように、樹勢増進材埋設装置４の打込み部７の内部に樹勢増進材１を挿入し、打込み部７の先端開口部１０に先端矢尻部１３を取り付ける。次に、図５に示すように、樹勢増進材埋設装置４の先端矢尻部１３を樹木５の周囲の地面１２に突き立て、振動発生装置９を動作させて打込み部７を土中１８に打ち込む。この際、打ち込んだ後の打込み部７の先端開口部１０が樹木５の根の先端部６の近傍に位置すると好適である。したがって、樹木５の根の先端部６の上方位置の地面１２から土中１８向けて打込み部７を打ち込むようにすると好適である。このようにすることにより、打込み部７を土中１８から抜き取った後、地面１２と樹木５の根の先端部６の近傍とが樹勢増進材１によって通じることとなり（図６参照）、樹勢増進材１の内部を通じて樹木５の根の先端部６に空気を供給し、土壌の通気性を高めることができる。また、樹勢増進材１の内部に水を蓄えることにより、樹木５の根の先端部６に水分を供給し、土壌の保水性を高めることができる。
【００２０】
その後、図６に示すように、樹勢増進材１及び先端矢尻部１３を残して打込み部７を土中１８から抜き取ることにより、土中１８に樹勢増進材１を埋設する。この際、打込み部７を土中１８から抜き取る際に、先端矢尻部１３は土の抵抗を受けて打込み部７の先端開口部１０から外れ、樹勢増進材１は、打込み部７の内部において十分な隙間を有して収納されているので先端矢尻部１３が外れた打込み部７の先端開口部１０から抜け落ちて土中１８に残され、埋設されることとなる。このような樹勢増進材１の埋設は、樹木５の周囲の複数箇所において行なうと好適である。それにより、樹木５の周囲全体にわたって土壌の通気性及び保水性を向上させることができ、樹木５の生育により適した環境とすることができる。
【００２１】
また、樹勢増進材埋設装置４が先端矢尻部１３を備えない場合における樹勢増進材埋設方法は、以下のようにして行なう。すなわち、図示しないが、まず樹勢増進材埋設装置４の打込み部７の内部に樹勢増進材１を挿入する。次に、打込み部７を樹木５の周囲の地面１２に突き立て、振動発生装置９を動作させて打込み部７を土中１８に打ち込む。その後、樹勢増進材１を残して打込み部７を土中１８から抜き取ることにより、土中１８に樹勢増進材１を埋設する。このようにすることにより、前記樹勢増進材埋設装置４が先端矢尻部１３を備える場合と同様に、樹勢増進材を埋設することができる。
【００２２】
なお、樹勢増進材１は、例えば、樹木５の周囲の地面１２にスコップ等により小径の穴を掘り、そこに樹勢増進材１を挿入して埋設する方法による等、本実施形態において説明した樹勢増進材埋設装置４及び樹勢増進材埋設方法によらずに樹木５の周囲の土中１８に埋設することも可能である。その場合であっても、樹勢増進材１は前述と同様の効果を発揮することができ、樹木５の生育を増進させることができる。
【００２３】
【発明の効果】
以上説明したように、本発明の請求項１に係る樹勢増進材埋設装置によれば、樹勢増進材が多数の細孔を有する袋体の内部に木炭の破砕物が充填されたことにより、木炭の破砕物同士の隙間及び木炭の破砕物自体が有する微細な孔によって樹勢増進材の内部に多数の小さな空間が形成され、このような内部の小さな空間を空気が通過し、又はこの小さな空間に水分が蓄えられることによって、土中に埋設された状態において土壌の通気性及び保水性を発揮することができる。したがって、簡易な方法により通気性や保水性などの土壌の物理的条件を改良し、樹木の生育を増進させることができる。また、一定太さの細長い棒状に形成されたことにより、容易に樹勢増進材埋設装置の打込み部に挿入することができる。
【００２４】
本発明の請求項１に係る樹勢増進材埋設装置によれば、樹勢増進材が内部に収納される円筒形の打込み部と、この打込み部の後端部に結合され、この打込み部を長手方向に振動させる振動発生装置とを備えたことにより、地面の任意の位置において容易に樹勢増進材を挿入し、土中に埋設することができる。
【００２５】
本発明の請求項２に係る樹勢増進材埋設装置によれば、上述の効果に加えて、前部が錐体に形成され、後部において前記打込み部の先端開口部に着脱可能に嵌合する先端矢尻部を備えたことにより、打込み部を土中に打込む際に抵抗が少なくなり容易に打込むことができる。また、先端開口部から打込み部の内部に土が侵入することを防止することもできる。更に、打込み部を土中に打込む際に、先端矢尻部の尖った先端により樹木の根を避けて進行することとなるので、樹木の根を切断することを防止することができる。
【００２６】
本発明の請求項３又は４に係る樹勢増進材埋設方法によれば、樹木の周囲の地面に対して容易に樹勢増進材を挿入し、土中に埋設することができる。そして、地面と樹木の根とが樹勢増進材によって通じることとなって土壌の通気性を高めることができるとともに、樹勢増進材の内部に水を蓄えることにより、樹木の根に水分を供給して土壌の保水性を高めることができる。したがって、簡易な方法により通気性や保水性などの土壌の物理的条件を改良し、樹木の生育を増進させることができる。
【図面の簡単な説明】
【図１】本発明の実施形態に係る樹勢増進材を示す斜視図である。
【図２】本発明の実施形態に係る樹勢増進材埋設装置であって、打込み部を断面で示す側面図である。
【図３】本発明の実施形態に係る先端矢尻部を示す斜視図である。
【図４】本発明の実施形態に係る先端矢尻部の他の例を示す斜視図である。
【図５】本発明の実施形態に係る樹勢増進材埋設方法において、樹勢増進材埋設装置を打込んだ状態を示す側面図である。
【図６】本発明の実施形態に係る樹勢増進材埋設方法において、樹勢増進材を残して打込み部を土中から抜き取った状態を示す側面図である。
【符号の説明】
１  樹勢増進材
２  袋体
３  木炭の破砕物
４  樹勢増進材埋設装置
５  樹木
６  樹木の根の先端部
７  打込み部
９  振動発生装置
１０  打込み部の先端開口部
１２  地面
１３  先端矢尻部
１８  土中
【図１】
0003750919.tif 000002
【図２】
0003750919.tif 000003
【図３】
0003750919.tif 000004
【図４】
0003750919.tif 000005
【図５】
0003750919.tif 000006
【図６】
0003750919.tif 000007